(57)【要約】【課題】貯蔵室の容積の拡大を図った冷蔵庫を提供する。【解決手段】２つの冷却器を使用した構成であり、各々の冷却器が冷却範囲を分担するため、一つの冷却器の占める面積も小さくなっており、野菜室１１の背面上部のスペースに、切換室１０のダンパ２４を配置することができ、前記切替室１０の背面上方および前記切替室１０を構成する上部の仕切体５の下面に冷気供給ダクト２５を設け、前記ダンパ２４の開閉により前記切替室１０の温度を調整し、生成された冷気を前記切替室１０の背面および上方の冷気吹出口２５ａ、２５ｂより前記切替室１０に供給するようにしている。【選択図】  図２
2004293804.tif 000002
【特許請求の範囲】
【請求項１】
外箱と内箱間に断熱材を充填してなる断熱箱体の内部を仕切体によって複数の貯蔵室に区画し、一つの区画を野菜室としたときに、その上方の貯蔵室をダンパの開閉により温度が設定できる貯蔵室とし、前記野菜室の下方を冷凍室とすると共に、温度が設定できる前記貯蔵室と前記野菜室と前記冷凍室用の冷却室を庫内背面に設け、同冷却室の下部に冷却器を設け、上部に同冷却器により生成された冷気を送出する送風機を設け、同送風機からの冷気を各室に供給する冷気送りダクトを設ける一方、各室と前記冷却室間にそれぞれ冷気戻りダクトを設けてなる冷蔵庫において、
前記野菜室の背面に、下方より前記冷却器、前記送風機および前記貯蔵室用ダンパをそれぞれ配置してなることを特徴とする冷蔵庫。
【発明の詳細な説明】
【０００１】
【発明の属する技術分野】
本発明は冷蔵庫に係わり、より詳細には、貯蔵室の容積の拡大を図るための構造に関する。
【０００２】
【従来の技術】
従来の冷蔵庫は、例えば図３の（Ｂ）に示すように（例えば、特許文献１参照但し、特許文献１は１冷却器による構成に対し、従来例は２冷却による構成としている）、外箱２と内箱３間に断熱材４を充填してなる断熱箱体１の内部を上から順に冷蔵室８と、区画壁により左右に区画した製氷室９と切替室１０と、野菜室１１と、冷凍室１２とに区画形成し、前記冷蔵室８の後方上部に、同冷蔵室８用の冷気を生成する冷却器２２と、生成した冷気を送出する送風機２３を設けると共に、前記野菜室１１の背後には他室用の冷却室１８を設け、同冷却室１８の下部に冷却器１９を、上部に同冷却器１９により生成された冷気を冷気送りダクト２０を介し、各室に送出する送風機２１を設けている。
【０００３】
更に図４に示すように、前記切替室１０の背面上方および前記切替室１０を構成する上部の前記仕切体５の下面に冷気供給ダクト２５を設け、同冷気供給ダクト２５にはダンパ２４を設け、同ダンパ２４の開閉により前記切替室１０の温度を調整しており、生成された冷気を前記切替室１０の背面および上方の冷気吹出口２５ａ、２５ｂより前記切替室１０に供給するようになっている。
【０００４】
また、前記冷却器１９により生成された冷気は冷気送りダクト２０を介し、前記冷凍室１２に供給され、前記冷凍室１２内を循環し、前記冷凍室１２の背面上部の前記野菜室１１と前記冷凍室１２とを仕切る前記仕切体７に設けられた冷気戻り口２６より冷気戻りダクト２７を経て前記冷却室１８に戻されている。
【０００５】
しかしながら、上記従来例では、前記切替室１０背面の前記冷気供給ダクト２５に前記ダンパ２４を設けているため、前記切替室１０の容積に制約を受けるという恐れのある問題点を有していた。
【０００６】
【特許文献１】
特開２００２−１３８６４号公報（第５ー８頁、第２図）
【０００７】
【発明が解決しようとする課題】
本発明においては、上記の問題点に鑑み、貯蔵室の容積の拡大を図った冷蔵庫を提供することを目的としている。
【０００８】
【課題を解決するための手段】
本発明は、上記問題点を解決するため、外箱と内箱間に断熱材を充填してなる断熱箱体の内部を仕切体によって複数の貯蔵室に区画し、一つの区画を野菜室としたときに、その上方の貯蔵室をダンパの開閉により温度が設定できる貯蔵室とし、前記野菜室の下方を冷凍室とすると共に、温度が設定できる前記貯蔵室と前記野菜室と前記冷凍室用の冷却室を庫内背面に設け、同冷却室の下部に冷却器を設け、上部に同冷却器により生成された冷気を送出する送風機を設け、同送風機からの冷気を各室に供給する冷気送りダクトを設ける一方、各室と前記冷却室間にそれぞれ冷気戻りダクトを設けてなる冷蔵庫において、
前記野菜室の背面に、下方より前記冷却器、前記送風機および前記貯蔵室用ダンパをそれぞれ配置した構成となっている。
【０００９】
【発明の実施の形態】
以下、本発明の実施の形態を、添付図面に基づいた実施例として説明する。
図１は本発明による冷蔵庫の正面図（Ａ）と、正面図（Ａ）のＡＡに対応する冷蔵庫の内部を示す側断面図（Ｂ）であり、図２は本発明の実施の形態を示す要部拡大側断面図である。
なお、従来例と同じ部分の符号は同一とする。
【００１０】
図において、図１の（Ａ）は冷蔵庫の正面を、（Ｂ）は同冷蔵庫の内部を側断面図で示したもので、１は外箱２と内箱３間に断熱材４を充填してなる断熱箱体である。同断熱箱体１の内部、すなわち前記内箱３の内部は複数の仕切体５、６、７により上から順に冷蔵室８、区画壁により左右に区画した製氷室９と切替室１０、野菜室１１、冷凍室１２が区画形成されている。１３、１４、１５、１６および１７はそれぞれ前記各室８、９、１０、１１および１２に対応させた扉である。
【００１１】
前記冷蔵室８の後方上部に、同冷蔵室８用の冷気を生成する冷却器２２と、生成した冷気を送出する送風機２３を設けると共に、前記野菜室１１の背後には他室用の冷却室１８が形成されており、同冷却室１８には下部に冷却器１９が配置され、上部に同冷却器１９により生成された冷気を冷気送りダクト２０（詳細図示省略）を介し、各室に送出し循環させる送風機２１が設けられている。
【００１２】
また、前記冷却器１９により生成された冷気は冷気送りダクト２０の吹出口２９から前記冷凍室１２に供給され、前記冷凍室１２内を循環し、前記冷凍室１２の背面上部の前記野菜室１１と前記冷凍室１２とを仕切る前記仕切体７に設けられた冷気戻り口２６より冷気戻りダクト２７を経て前記冷却室１８に戻されている。
【００１３】
前記冷却室１８の下方に、除霜ヒータ３１を配設し、同除霜ヒータ３１の下方に排水樋３２を設けた構成とし、同排水樋３２へ流下した前記冷却器１９の除霜水は前記排水管３３を介して前記圧縮機３４の上部に配置された蒸発皿３５に流入し、蒸発させるようになっている。
【００１４】
本発明は、２つの冷却器を使用した構成であり、各々の冷却器が冷却範囲を分担するため、一つの冷却器の占める面積も小さくなっており、図２で示すように、前記野菜室１１の背面上部のスペースに、前記切換室１０のダンパ２４を配置することができ、前記切替室１０の背面上方および前記切替室１０を構成する上部の前記仕切体５の下面に冷気供給ダクト２５を設け、前記ダンパ２４の開閉により前記切替室１０の温度を調整し、生成された冷気を前記切替室１０の背面および上方の冷気吹出口２５ａ、２５ｂより前記切替室１０に供給するようにしている。
【００１５】
前記切替室１０に供給された冷気は、前記切替室１０内を循環し、前記切替室１０の背面下部に設けられた冷気戻り口２８より前記冷却室１８に戻されている。
【００１６】
上記構成により、前記野菜室１１の背面上部のスペースに、前記切換室１０のダンパ２４を配置することにより、前記切替室１０の後方の前記ダンパ２４を配置していた前記冷気供給ダクト２５を小さくし、前記切替室１０の奥行方向にスペースを広げることができ、前記切替室１０の容積に制約を受けるという恐れのある問題点をなくすことができる。
【００１７】
【発明の効果】
以上のように本発明によると、貯蔵室の容積の拡大を図った冷蔵庫となる。
【図面の簡単な説明】
【図１】本発明による冷蔵庫の正面図（Ａ）と、正面図（Ａ）のＡＡに対応する冷蔵庫の内部を示す側断面図（Ｂ）である。
【図２】本発明の実施の形態を示す要部拡大側断面図である。
【図３】従来例による冷蔵庫の正面図（Ａ）と、正面図（Ａ）のＡＡに対応する冷蔵庫の内部を示す側断面図（Ｂ）である。
【図４】従来例の形態を示す要部拡大側断面図である。
【符号の説明】
１  断熱箱体
２  外箱
３  内箱
４  断熱材
５、６、７  仕切体
８  冷蔵室
９  製氷室
１０  切替室
１１  野菜室
１２  冷凍室
１３、１４、１５、１６、１７  扉
１８  冷却室
１９、２２  冷却器
２０  冷気送りダクト
２１、２３  送風機
２４  ダンパ
２５  冷気供給ダクト
２６、２８  冷気戻り口
２７  冷気戻りダクト
２９    吹出口
３１  除霜ヒータ
３２    排水樋
３３  排水管
３４  圧縮機
３５  蒸発皿
【図１】
2004293804.tif 000003
【図２】
2004293804.tif 000004
【図３】
2004293804.tif 000005
【図４】
2004293804.tif 000006